(57)【要約】【課題】電動と手動のそれぞれで施解錠が可能な電気錠において、手動による施解錠で使用する鍵穴部分を隠しておくことが可能な電気錠を提供する。【解決手段】錠機構と連動して解錠状態と施錠状態を切り替える電気錠１を形成するにあたり、電気錠１を本体部２５と化粧板部材２６を備えたものとする。また、電気錠１を電動操作と手動操作のそれぞれで施解錠が可能なものとし、本体部２５が手動操作で使用する鍵穴４３を有するものとする。さらに、化粧板部材２６を本体部２５に取り付けた状態において、電動操作が可能なものとし、且つ、化粧板部材２６が鍵穴４３の外側を覆った状態となるものとする。【選択図】図３
2020056200.tif 000002
【特許請求の範囲】
【請求項１】
錠機構と連動して解錠状態と施錠状態を切り替える施解錠操作が可能な電気錠であって、
本体部と、前記本体部に対して着脱可能な化粧板部材を備え、
前記本体部は、外部の鍵を挿入可能な鍵穴を有する鍵部材を含んで形成されるものであり、
前記施解錠操作は、電動操作と手動操作のそれぞれで実施可能であり、
前記手動操作による前記施解錠操作では、前記鍵穴に前記鍵を挿入するものであり、
前記電動操作による前記施解錠操作は、前記本体部に前記化粧板部材を取り付けた状態で行うことが可能であり、
前記化粧板部材が前記本体部に取り付けられた状態では、前記化粧板部材が前記鍵穴の外側を覆うことを特徴とする電気錠。
【請求項２】
前記化粧板部材は、前記鍵穴に挿入可能な挿入部を有し、
前記挿入部を前記鍵穴に挿入することで前記化粧板部材が前記本体部に取り付けられた状態となるものであり、
前記鍵部材は、シリンダー錠であり、
前記挿入部を前記鍵穴に挿入した状態において、前記挿入部と前記シリンダー錠のピンが係合し、前記挿入部の抜け止めとして機能することを特徴とする請求項１に記載の電気錠。
【請求項３】
前記本体部は、外筒部と、外筒部の内側に位置する内側部とを有し、
前記外筒部は、前記内側部に対してスライド移動可能であり、
前記化粧板部材が前記本体部に取り付けられた状態で、前記外筒部をスライド移動することで、前記化粧板部材の一部が前記外筒部の内側に位置する状態と、前記化粧板部材の一部が前記外筒部の外部に位置する状態を切り替え可能であることを特徴とする請求項１又は２に記載の電気錠。
【請求項４】
前記本体部は、前記電動操作による前記施解錠操作で操作する操作ボタンをさらに有し、
前記化粧板部材が前記本体部に取り付けられた状態において、前記化粧板部材の外側面と、前記操作ボタンの外側面とが略同一平面上に位置することを特徴とする請求項１乃至３のいずれかに記載の電気錠。
【請求項５】
前記解錠状態と前記施錠状態のいずれであるのかを報知する施解錠報知手段を有し、
前記施解錠報知手段は、前記施解錠操作によって前記解錠状態となった状態と、前記施解錠操作によって前記施錠状態となった状態とで異なる色の光を発光するものであることを特徴とする請求項１乃至４のいずれかに記載の電気錠。
【発明の詳細な説明】
【技術分野】
【０００１】
本発明は、電動で施解錠が可能な電気錠に関するものであり、特に、電動のみならず手動での施解錠が可能な電気錠に関する。
【背景技術】
【０００２】
従来、外部のリモコンキーを操作したり、リモコンキーを携帯したままドアに近づいたり、カードキーをドアに取り付けられたカードリーダにかざしたりすることで、ドアの施錠状態と解錠状態を切り替え可能な所謂電気錠が知られている。
【０００３】
このような電気錠として、例えば、特許文献１に開示されたものがある。
特許文献１に開示された電気錠は、一目見て電気錠を採用した扉であることが解らないように、シリンダー錠の本体内に電気錠を形成する主要機器を内蔵して形成している。つまり、部外者に電気錠を採用していることが悟られないように、電気錠ではない通常のシリンダー錠と外観が変わらないものとしている。
【先行技術文献】
【特許文献】
【０００４】
【特許文献１】特開２０１７−１９３８５４号公報
【発明の概要】
【発明が解決しようとする課題】
【０００５】
ところで、電気錠は、停電となった場合等、非常時において正常に動作しない場合が考えられる。
そこで、電気錠を採用する際には、上記したリモコンキーやカードキーを用いた電動による施解錠操作に加え、手動での施解錠操作が可能な構造とし、緊急時においてもドアの施解錠操作を可能とする場合がある。
つまり、鍵を差し込んで捻る動作のように、電気の供給の有無によらず実行可能な手動による施解錠操作も可能な構造とし、電動と手動のそれぞれで施解錠が可能な構造としている場合がある。
【０００６】
ここで、上記したように、電気錠を採用していることを部外者に知られたくないという要求がある一方で、反対に、電気錠を採用する場合、手動による施解錠で使用する鍵穴部分を隠しておきたいという要求もある。
【０００７】
具体的に説明すると、鍵穴部分が露出している場合、ピッキングやシリンダーの破壊を行う侵入窃盗犯から侵入対象として目を付けられることがある。
つまり、手動解錠が不可能な型（シリンダーを有さない型）の電気錠と、通常の鍵穴部分を有するシリンダー錠では、侵入窃盗犯による解錠手口が異なる。このため、通常のシリンダー錠付きの扉を狙う侵入窃盗犯は、手動解錠が不可能な型の電気錠が採用されている場合、その事実をもって不法侵入を諦める場合がある。
このことから、電気錠を採用する場合、主に緊急時に使用する鍵穴部分の存在を部外者に極力知られたくないという要求がある。
【０００８】
そこで本発明は、電動と手動のそれぞれで施解錠が可能な電気錠において、手動による施解錠で使用する鍵穴部分を隠しておくことが可能な電気錠を提供することを課題とする。
【課題を解決するための手段】
【０００９】
上記課題を解決するための請求項１に記載の発明は、錠機構と連動して解錠状態と施錠状態を切り替える施解錠操作が可能な電気錠であって、本体部と、前記本体部に対して着脱可能な化粧板部材を備え、前記本体部は、外部の鍵を挿入可能な鍵穴を有する鍵部材を含んで形成されるものであり、前記施解錠操作は、電動操作と手動操作のそれぞれで実施可能であり、前記手動操作による前記施解錠操作では、前記鍵穴に前記鍵を挿入するものであり、前記電動操作による前記施解錠操作は、前記本体部に前記化粧板部材を取り付けた状態で行うことが可能であり、前記化粧板部材が前記本体部に取り付けられた状態では、前記化粧板部材が前記鍵穴の外側を覆うことを特徴とする電気錠である。
【００１０】
本発明の電気錠は、化粧板部材を取り付けることで、化粧板部材が鍵穴の外側を覆った状態となり、鍵穴の存在を部外者に隠すことが可能となる。つまり、部外者が一見して鍵穴の存在を確認できない状態とすることが可能であり、防犯性が高い。
また、本発明の電気錠は、化粧板部材を取り付けた状態で電動操作による施解錠操作を行うことが可能であり、施解錠操作が行われる際にも、あたかも手動解錠が不可能な型の電気錠のように見せかけることができる。
さらに、電動による施解錠を主として運用することで（通常時には電動による施解錠を使用することで）、鍵穴が即座に鍵を挿入できない状態であっても、使用者が不便さを感じることがない。
【００１１】
請求項２に記載の発明は、前記化粧板部材は、前記鍵穴に挿入可能な挿入部を有し、前記挿入部を前記鍵穴に挿入することで前記化粧板部材が前記本体部に取り付けられた状態となるものであり、前記鍵部材は、シリンダー錠であり、前記挿入部を前記鍵穴に挿入した状態において、前記挿入部と前記シリンダー錠のピンが係合し、前記挿入部の抜け止めとして機能することを特徴とする請求項１に記載の電気錠である。
【００１２】
かかる構成によると、化粧板部材の意図しない脱落を防止可能であり、好ましい。また、化粧板部材を強固に取り付けるための部材を本体側に別途設ける必要がなく、構造を簡易化できるので、製造コストの削減を図ることができる。
【００１３】
請求項３に記載の発明は、前記本体部は、外筒部と、外筒部の内側に位置する内側部とを有し、前記外筒部は、前記内側部に対してスライド移動可能であり、前記化粧板部材が前記本体部に取り付けられた状態で、前記外筒部をスライド移動することで、前記化粧板部材の一部が前記外筒部の内側に位置する状態と、前記化粧板部材の一部が前記外筒部の外部に位置する状態を切り替え可能であることを特徴とする請求項１又は２に記載の電気錠である。
【００１４】
かかる構成では、化粧板部材の一部を外筒部の内側に位置させた、化粧板部材を取り外し難い状態（着脱可能であることが部外者に解りにくい状態）と、化粧板部材の一部を外筒部の外部に位置させた、化粧板部材を取り外しやすい状態を切り替え可能である。
このため、通常時には、化粧板部材が取り外し可能であることを解りにくくすることが可能であり、化粧板部材を取り外す際には、化粧板部材を取り外し易くすることができる。
【００１５】
請求項４に記載の発明は、前記本体部は、前記電動操作による前記施解錠操作で操作する操作ボタンをさらに有し、前記化粧板部材が前記本体部に取り付けられた状態において、前記化粧板部材の外側面と、前記操作ボタンの外側面とが略同一平面上に位置することを特徴とする請求項１乃至３のいずれかに記載の電気錠である。
【００１６】
かかる構成では、化粧板部材の外側面と操作ボタンの外側面とが略同一平面上に位置した状態で、電気錠の外表面を形成する。このことから、化粧板部材が存在している部分が周囲より盛り上がったりせず、化粧板部材を目立ち難くすることができる。
【００１７】
請求項５に記載の発明は、前記解錠状態と前記施錠状態のいずれであるのかを報知する施解錠報知手段を有し、前記施解錠報知手段は、前記施解錠操作によって前記解錠状態となった状態と、前記施解錠操作によって前記施錠状態となった状態とで異なる色の光を発光するものであることを特徴とする請求項１乃至４のいずれかに記載の電気錠である。
【００１８】
かかる構成によると、使用者が解錠状態であるのか、施錠状態であるのかを容易に識別可能となり、好ましい。
【発明の効果】
【００１９】
本発明は、手動による施解錠で使用する鍵穴部分を隠しておくことができる。
【図面の簡単な説明】
【００２０】
【図１】本発明の実施形態に係る電気錠を採用したドア構造を示す斜視図であり、（ａ）、（ｂ）はそれぞれ異なる方向からみた様子を示す。
【図２】図１の第一錠ユニットに第一電気錠、第一サムターンが取り付けられている様子を示す斜視図であり、（ａ）、（ｂ）はそれぞれ異なる方向からみた様子を示す。
【図３】図１の第一電気錠を示す斜視図であり、（ａ）は本体部に化粧板部材を取り付けた状態を示し、（ｂ）は本体部から化粧板部材を取り外した状態を示す。
【図４】図３の本体部を示す分解斜視図である。
【図５】図３の本体部を示す正面図である。
【図６】図３の化粧板部材を示す斜視図であり、（ａ）、（ｂ）はそれぞれ異なる方向からみた様子を示す。
【図７】図３の第一電気錠を示すＡ−Ａ断面図である。
【図８】図３（ａ）で示される第一電気錠において、外筒部材をドア本体側へスライド移動させる様子を示す図であり、（ａ）、（ｂ）それぞれで左図は側面図、右図は斜視図であって、（ａ）、（ｂ）の順に移動する様子を示す。
【図９】図１の第二電気錠を示す斜視図であり、（ａ）は本体部に化粧板部材を取り付けた状態を示し、（ｂ）は本体部から化粧板部材を取り外した状態を示す。
【図１０】図１（ａ）のリモコンキーを示す説明図であり、（ａ）はキー本体部にブレード部を収納した様子を示し、（ｂ）はブレード部の大部分を外部に露出させる様子を示す。
【図１１】図１の第一錠ユニットで施解錠操作が実行されたことを報知する様子を示す説明図であり、（ａ）は通常の状態、（ｂ）は発光領域が発光している状態を示す。
【発明を実施するための形態】
【００２１】
以下、本発明の実施形態に係る電気錠１と、この電気錠１を採用したドア構造２について、図面を参照しつつ詳細に説明するが、本発明はこれらの例に限定されるものではない。また、特に断りのない限り、上下方向、前後方向、左右方向は、図１（ａ）で示される状態を基準として説明する。
【００２２】
本実施形態の電気錠１は、開閉可能に形成される板状のドア本体３に取り付けられて使用するものである。
すなわち、この電気錠１は、主にマンション等の建屋内で専有スペースと共有スペースを区画するドアや、一戸建て等において玄関となる部分に設けられるドアに対して取り付け可能なものである。言い換えると、電気錠１は、居住空間の出入口に設けられるドア本体３に取り付けることを想定したものとなっている。
【００２３】
本実施形態の電気錠１を採用したドア構造２では、図１（ａ）で示されるように、ドア本体３の一主面側の部分に対し、第一電気錠４、第二電気錠５からなる２つの電気錠１と、ドアハンドル６を取り付けている。また、図１（ｂ）で示されるように、その反対側となる他方主面側の部分には、第一サムターン７と、第二サムターン８と、ドアハンドル６を取り付けている。
そして、２つのドアハンドル６の間にラッチ錠ユニット９を取り付けている。また、第一電気錠４と第一サムターン７の間と、第二電気錠５と第二サムターン８の間のそれぞれには、第一錠ユニット１０（錠機構）と、第二錠ユニット１１（錠機構）をそれぞれ取り付けている。
【００２４】
加えて、本実施形態のドア構造２は、図示しない制御装置（以下、上位制御装置と称する）を有する。そして、リモコンキー１２及びカードキー１３により、施解錠操作が可能な構造となっている（詳しくは後述する）。
なお、この上位制御装置は、第一電気錠４、第二電気錠５から送信される信号に基づいて、第一錠ユニット１０、第二錠ユニット１１の動作を制御するものである。すなわち、公知のそれと同様に、ＣＰＵ、記憶手段、他の機器との間で信号の送受信が可能な信号送受信手段を備えており、記憶手段に制御用のプログラムが記憶されたものとなっている。
【００２５】
このドア構造２では、２つのドアハンドル６のそれぞれがラッチ錠ユニット９と連結しており、ドアハンドル６の操作に応じてラッチ錠ユニット９の本体ケースからラッチが出没する。
【００２６】
また、このドア構造２では、図２で示されるように、第一電気錠４と第一サムターン７のそれぞれが第一錠ユニット１０に取り付けられている。
したがって、第一電気錠４に対して所定の操作をする（詳しくは後述する）、又は、第一サムターン７をつまんで回す操作をすることで、第一錠ユニット１０の本体ケースからデッドボルト１５が出没する構造となっている。
なお、付言すると、この第一錠ユニット１０は、例えば、モータやソレノイドといった図示しない動力源を備えている。このことから、この動力源に通電することで、第一電気錠４に対する操作に基づき、デッドボルト１５を自動で出没させる動作が可能となっている。
【００２７】
同様に、第二電気錠５と第二サムターン８のそれぞれもまた、第二錠ユニット１１に取り付けられている（詳細な図示を省略する、図１参照）。
このことから、第二電気錠５に対して所定の操作をする（詳しくは後述する）、又は、第二サムターン８をつまんで回す操作をすることで、第二錠ユニット１１の本体ケースからデッドボルト１５が出没する構造となっている。
なお、この第二錠ユニット１１もまた、第一錠ユニット１０と同様に、モータやソレノイドといった図示しない動力源を備えている。このことから、この動力源に通電することで、第二電気錠５に対する操作に基づき、デッドボルト１５を自動で出没させる動作が可能となっている。
【００２８】
第一電気錠４は、図３で示されるように、全体の概形が略円柱状となるように形成されている。この第一電気錠４は、本体部２５と、本体部２５に対して着脱自在に形成された化粧板部材２６を有する。
【００２９】
本体部２５は、図４で示されるように、大別して外筒部材３０（外筒部）と、外筒部材の内側に位置する内側部材３１（内側部）と、一部が内側部材３１の内部に位置する鍵部材３２と、上記したドア本体３と接触する部分を形成する土台部３３とを有している。
【００３０】
外筒部材３０は、概形が略有底円筒状となるように形成された部材であり、土台部３３側（後方側）に位置する一部分の径方向長さが短い。
つまり、外筒部材３０は、前方側の大径部３０ａと後方側の小径部３０ｂを有しており、大径部３０ａと小径部３０ｂのそれぞれにおいて円環状に連続する側面部分が、段差を介して連続している。
【００３１】
また、外筒部材３０の内部には、大径部３０ａと小径部３０ｂの境界となる部分の近傍に、仕切壁部３０ｃが形成されている。
この仕切壁部３０ｃは、外筒部材３０の径方向に広がる面を有する壁状部分を形成しており、鍵部材３２や他部材を挿通するための貫通孔が適宜の部分に形成されている。
【００３２】
内側部材３１は、概形が略短円柱状となる部分であり、前端側部分に鍵穴露出孔３１ａと、操作ボタン部３８（操作ボタン）を有する。また、内部には、鍵部材３２の一部分を配するための空間である鍵部材配置部が設けられている。
【００３３】
すなわち、内側部材３１の上側部分には、内部に鍵部材配置部が形成されており、後方側から鍵部材３２の前方側部分を挿入可能な構造となっている。
そして、鍵穴露出孔３１ａは、この鍵部材配置部と外部を連通する孔であり、内側部材３１の前端側部分から鍵部材配置部まで延びている。
【００３４】
また、操作ボタン部３８は、内側部材３１の前端側部分のうち、上下方向の中心近傍から下端近傍までの部分に設けられている。
この操作ボタン部３８は、半円板状の押圧板部３８ａを有しており、この押圧板部３８ａを押し込むことで、内側部材３１に内部に配されたスイッチが押圧される構造となっている。
【００３５】
この内側部材３１は、全体が外筒部材３０（大径部３０ａ）の内部に収容可能な大きさとなっている。すなわち、内側部材３１の径方向長さは、大径部３０ａの径方向長さよりも小さい。
【００３６】
鍵部材３２は、シリンダー錠であり、公知のそれと同様に、概形が略円筒状となる部材である。具体的に説明すると、鍵部材３２は、外筒部分３２ａと内筒部分３２ｂがあり、内筒部分３２ｂが外筒部分３２ａに挿入されている（図７参照）。
そして、外筒部分３２ａと内筒部分３２ｂには、これらを連通する複数の穴が設けられ、その連通穴のそれぞれにピン３２ｃが配されている（図７参照）。そして、内筒部分３２ｂには、鍵穴４３が設けられている（図７参照）。
なお、作図の都合上、一部のピン３２ｃにのみ符号を付し、他への符号を省略する。
【００３７】
このことから、鍵穴４３に所定の鍵のブレード部分を挿入することで、外筒部分３２ａと内筒部分３２ｂの界面とピン３２ｃの境界が合致し、内筒部分３２ｂが外筒部分３２ａに対して回転可能な状態となる。すなわち、正規の鍵のブレード部７１（図１０参照）を挿通した状態においてのみ、挿通した鍵全体をそのまま捻る動作が可能となり、この動作に伴って、施解錠動作（第一錠ユニット１０のデッドボルト１５の出没動作）が実行される。
【００３８】
ここで、内側部材３１の内部に鍵部材３２の一部を配した状態としたとき、鍵穴露出孔３１ａの奥側となる奥まった位置に鍵穴４３が位置した状態となる。すなわち、本体部２５を前方側からみると、図５で示されるように、鍵穴４３の開口全域が目視可能（外部に露出した状態）となる。
【００３９】
土台部３３は、図４で示されるように、略有底円筒状の土台部本体３３ａと、土台部本体３３ａの外周面の前端側部分に位置するフランジ部３３ｂとを有する。
土台部本体３３ａは、内部に外筒部材３０の小径部３０ｂを挿入可能な大きさとなっている。すなわち、土台部本体３３ａの内径は、小径部３０ｂの外径よりも大きい。
また、土台部本体３３ａの底部分を形成する土台側仕切壁部３３ｃは、土台部本体３３ａの径方向に広がる面を有する壁状部分を形成しており、鍵部材３２や他部材を挿通するための貫通孔が適宜の部分に形成されている。
【００４０】
化粧板部材２６は、図６で示されるように、略半円板状の本体板部４７と、挿入部４８を有している。
挿入部４８は、本体板部４７の一主面側である後側面からさらに後方に突出する部分であり、突出方向基端側に位置するベース部４８ａと、長板状部４８ｂに区画される部分である。
【００４１】
ベース部４８ａは、全体の概形が略円柱状の部分であり、詳細には、突出方向の基端側に位置する略円柱状の部分と、突出端側に位置する略半球形の部分とが一体となって形成されている。つまり、ベース部４８ａは、突出端側の部分が膨らみを有する形状であり、後方側（図６（ｂ）では手前側）に向かって丸みを帯びて凸となっている。
【００４２】
長板状部４８ｂは、一般的な鍵のブレード部分を模した形状となっている。すなわち、ブレード部分のような形状となるように、長方形立板状の部分の外表面に対し、溝、窪み、欠落部分が適宜形成されている。つまり、長方形立板状の部分に対し、溝、窪み、欠落部分から選択される一以上が形成されたものとなっている。
なお、これら溝、窪み、欠落部分の形成位置、数、形状、又は、溝の長さ、溝の延び方向、窪みの深さ等は、最終的に形成する長板状部４８ｂの形状に応じて適宜変更可能となっている。つまり、長板状部４８ｂは、ディスクシリンダー用のキーを模した形状とする場合や、ディンプルキーを模した形状とする場合等、それぞれ場合において溝、窪み、欠落部分を適宜形成して作成される。
【００４３】
また、本体部２５と化粧板部材２６は、図３（ｂ）で示されるように、脱落防止部材５０で連結されている。なお、図３（ｂ）では、作図の都合上、脱落防止部材５０の中途部分を省略して示す。
脱落防止部材５０は、扁平な紐状の部材であり、一端側が本体部２５の前面上方側に固定されており、他端側が化粧板部材２６の本体板部４７における一主面側（後面側）に固定されている。
すなわち、本体板部４７において、挿入部４８が形成されている主面と同じ主面に、脱落防止部材５０の一端が固定されている（図６（ｂ）参照）。
【００４４】
続いて、本体部２５に対して化粧板部材２６を取り付ける際と、本体部２５から化粧板部材２６取り外す際の手順について説明する。
【００４５】
本体部２５に化粧板部材２６を取り付ける際には、図３（ｂ）で示されるように、化粧板部材２６が本体部２５から離れた位置にある状態から、化粧板部材２６の挿入部４８（図６参照）を本体部２５の鍵穴４３に挿入する。
【００４６】
すなわち、図７で示されるように、鍵穴露出孔３１ａ及び鍵穴４３の内部に挿入部４８が入り込んだ状態とする。
詳細には、挿入部４８のうち、ベース部４８ａの大部分が、鍵穴露出孔３１ａの内部に位置した状態となり、長板状部４８ｂの大部分が鍵穴４３の内部に位置した状態となる。
【００４７】
ここで、長板状部４８ｂは、正規の鍵となるリモコンキー１２のブレード部７１（図１０参照）と比べて長さが短く、また、形状が異なる。このことから、長板状部４８ｂは、ブレード部分を模して形成されてはいるものの、施解錠操作に使用できない部分となっている。
【００４８】
具体的に説明すると、長板状部４８ｂとブレード部７１とは、全体の大きさや、溝、窪み、欠落部分の数や形状、形成位置の少なくとも一以上が異なるように形成されている。そして、このことにより、長板状部４８ｂは、鍵穴４３に挿通しても、鍵部材３２の内筒部分３２ｂが外筒部分３２ａに対して回転可能な状態とならないように形成されている。
したがって、何者かが化粧板部材２６を盗み取り、化粧板部材２６を不正に使用して（例えば、挿入部４８のみを折り取る等して）解錠操作を行おうとしても、解錠操作の実行が不可能なようになっている。
【００４９】
その一方で、長板状部４８ｂは、鍵穴４３に対して挿入可能に形成されており、鍵穴４３に挿入することで、長板状部４８ｂに形成された溝、窪み、欠落部分と、鍵部材３２のピン３２ｃが係合する構造となっている。
つまり、長板状部４８ｂを鍵穴４３に挿入することで、長板状部４８ｂの溝、窪み、欠落部分に対し、鍵部材３２の複数のピン３２ｃのうちの一部が入り込んだ状態となる。このことから、長板状部４８ｂが鍵穴４３挿入された状態で、長板状部４８ｂに引き抜き方向へ力が働いても、長板状部４８ｂの被係合部（溝、窪み、欠落部分）と係合する鍵部材３２の係合部（ピン３２ｃ）が抜け止めとして作用する。
すなわち、長板状部４８ｂを鍵穴４３から引き抜く際には、一定以上の力で引き抜く必要があり、意図しない化粧板部材２６の脱落を防止することができる。
【００５０】
また、本体部２５に化粧板部材２６を取り付けた状態では、図３（ａ）で示されるように、化粧板部材２６の本体板部４７と、操作ボタン部３８の押圧板部３８ａとが上下方向に並列配置された状態となる。
そして、本体板部４７と押圧板部３８ａがいずれも外筒部材３０の内部に位置し、これらの前面同士が同一平面上（略同一平面上）に位置した状態となる。
なお、ここでいう略同一平面上とは、完全に同一平面上に位置した状態の他、数ｍｍ程度（本体板部４７又は押圧板部３８ａの最大厚さ以下であって遠目に目立たない程度）の微細なずれを許容するものとする。
【００５１】
つまり、本体板部４７と押圧板部３８ａとがあたかも一つの円板状の部分を形成するように互いに隣接し、且つ、並列するように配されて、外筒部材３０の前端側開放部分を塞ぐように位置する。そして、外筒部材３０の内部において、第一電気錠４の前面部分の略全域に亘る部分を形成する。
このことから、第一電気錠４は、概形が略円柱状となる塊状の部分に見えるので、化粧板部材２６が本体部２５に対して着脱可能であることを目立たなくすること（部外者に解り難くすること）ができる。
【００５２】
このように、本体部２５に化粧板部材２６を取り付けると、化粧板部材２６の本体板部４７が鍵穴４３及び鍵穴露出孔３１ａの前端側開口の前方側に位置し、これらの前方側（ドア本体３を基準とした外側）を覆った状態となる。このことにより、鍵穴４３、鍵穴露出孔３１ａが外部に露出しない状態となり、これらの存在を部外者が一見して解らない状態とすることができる。
【００５３】
続いて、本体部２５から化粧板部材２６を取り外す際の手順について説明する。
まず、図８（ａ）で示されるように、外筒部材３０をドア本体３側へスライド移動させる。
すなわち、外筒部材３０は、内側部材３１と土台部３３に対してドア本体３の厚さ方向沿ってスライド移動可能であり、ドア本体３へ近づく方向と、ドア本体３から離れる方向のそれぞれに移動可能となっている。詳細には、外筒部材３０をドア本体３側へ移動させる際、大径部３０ａの後端側部分がフランジ部３３ｂの前端側部分に当接するまで移動可能となっている。
【００５４】
このように、外筒部材３０をドア本体３側へ移動させることで、化粧板部材２６の本体板部４７と、操作ボタン部３８の押圧板部３８ａが外筒部材３０の外部に位置した状態となる。すなわち、これらの側面部分（両主面の間に位置する側面部分）が外部に露出した状態となる。
【００５５】
このことから、化粧板部材２６を取り外す際、使用者がつまむための部分（つまみ代となる部分）が外部に露出した状態となり、化粧板部材２６を取り外しやすくなる。
そして、この状態から化粧板部材２６をつまんで引き抜くことで、化粧板部材２６が本体部２５から取り外された状態となる。
【００５６】
つまり、化粧板部材２６を本体部２５に取り付けた状態では、化粧板部材２６の本体板部４７を外筒部材３０の内部に配することで、部外者に化粧板部材２６が取り外し可能であることを解り難くすることができる。
その一方で、化粧板部材２６を取り外す際には、本体板部４７を外筒部材３０の外部に位置させることで、使用者が本体板部４７をつまみ易くなり、化粧板部材２６を取り外し易くすることができる。
【００５７】
ここで、この第一電気錠４は、内部にリモコンキー１２からの信号を受信する受信装置が内蔵されている。
この受信装置は、リモコンキー１２から送信された信号を受信する信号受信手段と、送信された信号が所定の条件に合致する信号を含んでいるか否かを判別する判別手段を有する。
また、この第一電気錠４は、制御装置（第一制御装置）が内蔵されており、所定の操作（詳しくは後述する）がされたことを条件として、上記した上位制御装置（図示しない）に情報を送信する。そして、第一電気錠４からの信号を受信した上位制御装置が第一錠ユニット１０（図１参照）に信号を送信することで、第一錠ユニット１０のデッドボルト１５を自動で出没させる動作が実施される。
【００５８】
第二電気錠５もまた、図９で示されるように、全体の概形が略円柱状に形成された部材であり、本体部６０と、本体部６０に対して着脱自在に形成された化粧板部材６１を有している。
なお、第二電気錠５について以下で詳細に説明するが、上記した第一電気錠４と同様の部分については、詳細な説明を省略する。
【００５９】
第二電気錠５の本体部６０もまた、上記した第一電気錠４と同様に、外筒部材３０と、外筒部材の内側に位置する内側部材６３と、一部が内側部材６３の内部に位置する鍵部材３２と、土台部３３を有している。
【００６０】
第二電気錠５の外筒部材３０もまた、内側部材６３と土台部３３に対してドア本体３の厚さ方向沿ってスライド移動可能に形成されている。
すなわち、本体部６０に化粧板部材６１を取り付けた状態において、化粧板部材６１の本体板部６５を外筒部材３０の内部に配した状態と、本体板部６５を外筒部材３０の外部に配した状態を切り替え可能となっている。
【００６１】
内側部材６３は、上記した第一電気錠４と同様に、概形が略短円柱状となる部分であり、鍵穴露出孔６３ａと鍵部材配置部を有している。そして、内部に鍵部材３２の一部分を配した状態で前面（外側面）側からみたとき、鍵穴４３が外部に露出する構造となっている。すなわち、鍵穴露出孔６３ａの奥まった部分に鍵穴４３が位置している。
【００６２】
また、この内側部材６３は、操作ボタン部３８が形成されていない点において、上記した内側部材３１とは異なる構造となっている。
【００６３】
化粧板部材６１は、本体板部６５と挿入部４８を有しており、本体板部６５の概形が略円板状である点において、上記した化粧板部材２６とは異なるものとなっている。
そして、本体部６０と化粧板部材６１が脱落防止部材５０で連結されている。なお、作図の都合上、図９では、脱落防止部材５０の中途部分を省略して示す。
【００６４】
ここで、この第二電気錠５は、内部に受信装置ではなくカードリーダが内蔵されている点において、上記した第一電気錠４とは異なる構造となっている。
【００６５】
カードリーダは、カードキー１３と通信可能であり、カードキー１３に記憶された情報を読み取り可能なものとなっている。すなわち、第二電気錠５にカードキー１３をかざすことで、内部のカードリーダがカードキー１３に設けられたＩＣチップ等から情報を取得する。
つまり、カードリーダは、カードキー１３から情報（信号）を取得する情報取得手段と、カードキー１３が所定の条件に合致する情報（信号）を含んでいるか（カードキー１３が正規のものであるのか）否かを判別する判別手段とを有する。
【００６６】
そして、第二電気錠５もまた、制御装置（第二制御装置）を備えており、所定の操作（詳しくは後述する）がされたことを条件として、上記した上位制御装置（図示しない）に信号（情報）を送信する。そして、第二電気錠５からの信号を受信した上位制御装置が第二錠ユニット１１に信号を送信することで、第二錠ユニット１１のデッドボルト１５（図１参照）を自動で出没させる動作が実施される。
【００６７】
続いて、本実施形態のドア構造２で実施可能な施解錠操作について説明する。
なお、便宜上、図１で示されるドア本体３において、第一電気錠４、第二電気錠５が配されている主面側を外部側、第一サムターン７、第二サムターン８が配されている主面側を室内側として説明する。
【００６８】
まず、施解錠操作の説明に先立って、リモコンキー１２について説明する。
リモコンキー１２は、図１０で示されるように、箱状のキー本体部７０と、ブレード部７１とを有する。
【００６９】
キー本体部７０は、概形が略直方体状の部分であり、裏面側部分（図１０における正面部分）に鍵操作ボタン７０ａが設けられている。また、図示を省略するが、キー本体部７０の側面部分には、動作確認ランプと、複数の操作ボタンが設けられている。
なお、動作確認ランプは、鍵操作ボタン７０ａが押下される等、リモコンキー１２に対して使用者による所定の操作がなされたとき、所定の色の光を発光する部分である。
【００７０】
ここで、キー本体部７０は、内部に制御装置（キー側制御装置）と、所定の信号を送信する送信機を備えた構造となっている。このことから、リモコンキー１２は、通常の状態において、信号（微弱な電波）を常時発信している。また、上記した鍵操作ボタン７０ａが押下された際、所定の信号を発信するものとなっている。
【００７１】
ブレード部７１は、大部分をキー本体部７０から露出させた状態で（詳しくは後述する）キー本体部７０側に位置する平板状部分（大部分を図示しない）と、この平板状部分からキー本体部７０の外部へ向かって延びる略長方形板状の部分とを有する。
ブレード部７１の略長方形板状となる部分は、通常の鍵のブレード部分と同様に、溝、窪み、欠落部分が適宜形成されている。なお、本実施形態では、ブレード部７１の略長方形板状部分が、所謂ディンプルキーのブレード部分となっており、複数の窪み部分を有する。すなわち、複数の窪み部分が所定の規則に基づいて配列され、それぞれの窪み部分が所定形状及び所定の大きさとなるように形成されている。
【００７２】
このブレード部７１は、キー本体部７０に対して回動可能に取り付けられている。そして、ブレード部７１を回動させることで、ブレード部７１がキー本体部７０の内部に収納された状態と、ブレード部７１の大部分が外部に露出した状態を切り替え可能となっている。
【００７３】
すなわち、ブレード部７１は、キー本体部７０の表裏方向（図１０における奥行き方向）に延びる軸を回転軸とし、上記した平板状部分の一部を回動中心として回動可能となっている。
その一方、キー本体部７０は、一方の側面に開口を有し、この開口部分から内部まで延びる鍵収容空間が形成されている。
したがって、ブレード部７１が外部に露出した状態から、ブレード部７１を回動させ、キー本体部７０の側面から内部に入れ込むことにより、ブレード部７１がキー本体部７０に収納された状態となる。また、ブレード部７１が収納された状態で、収納する際に回動させた回動方向とは逆方向に回動させることにより、ブレード部７１の大部分を外部に露出した状態へ移行できる。
【００７４】
このブレード部７１は、停電時等の非常時にエマージェンシーキーとして使用することを想定している。すなわち、リモコンキー１２は、通常時には、ブレード部７１をキー本体部７０の内部に収納した状態で運用し、非常時には、ブレード部７１の大部分を外部に露出させて施解錠操作に使用することを想定している。
【００７５】
次に、ドア本体３（図１参照）の外部側から可能な施解錠操作について説明する。
具体的には、第一錠ユニット１０の施錠状態と解錠状態を切り替える操作として、以下の第一操作（電動操作）、第二操作（電動操作）、第三操作（手動操作）がある。
【００７６】
第一操作は、ドア本体３の傍で使用者がリモコンキー１２を携帯した状態（衣服のポケットやカバンにリモコンキー１２を入れた状態）で、第一電気錠４の操作ボタン部３８を押下する操作である。
第二操作は、ドア本体３の傍で使用者がリモコンキー１２の鍵操作ボタン７０ａを押下する操作である。
第三操作は、第一電気錠４の化粧板部材２６を取り外した状態とし、リモコンキー１２のブレード部７１を第一電気錠４の鍵穴４３に挿入して、リモコンキー１２を回す（捻る）操作である。
【００７７】
なお、第一操作が実施されると、第一電気錠４の受信装置が、リモコンキー１２から常時送信される信号を受信する。そして、この信号が所定の条件に合致する信号を含んでいると判別され、操作ボタン部３８を押下されたことを条件として、第一電気錠４の制御装置が上位制御装置に施解錠操作を実行するための信号を送信し、第一錠ユニット１０の施解錠が実行される。
【００７８】
また、第二操作が実施されると、リモコンキー１２の鍵操作ボタン７０ａを押下されたことを条件として送信される信号が、第一電気錠４の受信装置に送信される。そして、この信号が所定の条件に合致する信号を含んでいると判別されたことを条件として、第一電気錠４の制御装置が上位制御装置に施解錠操作を実行するための信号を送信し、第一錠ユニット１０の施解錠が実行される。
【００７９】
また、第二錠ユニット１１の施錠状態と解錠状態を切り替える操作として、以下の第四操作（電動操作）、第五操作（手動操作）がある。
【００８０】
第四操作は、第二電気錠５にカードキー１３をかざす操作である。
第五操作は、第二電気錠５の化粧板部材６１を取り外した状態とし、リモコンキー１２のブレード部７１を第二電気錠５の鍵穴４３に挿入して、リモコンキー１２を回す（捻る）操作である。
【００８１】
なお、第四操作が実施されると、上記したように、第二電気錠５のカードリーダによってカードキー１３に記憶された情報（信号）が所定の条件に合致する情報（信号）を含んでいるか否かが判別される。そして、所定の条件に合致する情報（信号）を含んでいると判別されたことを条件として、第二電気錠５の制御装置が上記した上位制御装置（図示しない）に情報を送信し、第二錠ユニット１１の施解錠が実行される。
【００８２】
これに対し、ドア本体３の室内側から可能な施解錠操作は、第一サムターン７、第二サムターン８のそれぞれをつまんで捻る（つまみを回転させる）操作となっている。第一サムターン７、第二サムターン８のそれぞれをつまんで捻ることで、対応する第一錠ユニット１０、第二錠ユニット１１の施解錠が実行される。
【００８３】
ここで、本実施形態の第一電気錠４、第二電気錠５は、電動で実施される施解錠操作（第一操作、第二操作、第四操作）が実施された際、その旨を使用者に報知する施解錠報知手段を有している。
このことにつき、以下で詳細に説明する。また、第一電気錠４の施解錠報知手段について詳細に説明し、第二電気錠５の施解錠報知手段については詳細な説明を省略する。
【００８４】
第一電気錠４は、図１１で示されるように、前面部分に円環状に連続する発光領域７５を備えた構造となっている。
発光領域７５は、第一電気錠４の前面を形成する板状部分の縁端側、すなわち、本体板部４７と押圧板部３８ａ（第二電気錠５では本体板部６５）の縁端部分に形成された透明部分である。したがって、特に限定されるものではないが、本体板部４７と押圧板部３８ａは、透明板に対し、縁端部分以外を着色する等により、形成することができる。
なお、ここでいう「透明」とは、物質を通してその先にあるものが透けて見えることをいい、無色だけではなく、有色である場合も含む。
【００８５】
また、第一電気錠４の本体部２５は、ＬＥＤ等で形成される発光手段（図示しない）を有する。そして、発光手段が発光することで、発光領域７５が発光する構造となっている。つまり、第一電気錠４は、施解錠報知手段として、発光手段と、発光領域７５を有している。
【００８６】
そして、上記した電動で実施される施解錠操作により、施錠状態から解錠状態に切り替わった場合と、解錠状態から施錠状態に切り替わった場合とで、発光領域７５が異なる色で発光するものとなっている。
なお、本実施形態では、特に限定されるものではないが、解錠状態に移行した場合は赤色、施錠状態に移行した場合は青色で発光する。すなわち、施錠状態から解錠状態に移行した場合、所定時間（例えば、数秒間）だけ、発光領域７５が赤色発光する。対して、解錠状態から施錠状態に移行した場合、所定時間（例えば、数秒間）、発光領域７５が青色発光する。
【００８７】
上記した実施形態では、施解錠報知手段として、電気錠１の前面縁端側が異なる色で発光する例について説明したが、本発明の施解錠報知手段は、これに限るものではない。
例えば、本体部２５，６０等にスピーカ等の発音手段を設け、この発音手段を施解錠報知手段としてもよい。この場合、例えば、解錠状態に移行した場合は「ピッ、ピッ」と短い音を二回発し、施錠状態に移行した場合は、「ピッ」と短い音を一回発するものとしてもよい。また、上記した発光による報知動作と、発音による報知動作を同時に実行してもよい。
【００８８】
また、発光による報知動作で発光する発光色と、発音による報知動作で発音する音とは、適宜変更してよく、施錠状態への移行時と、解錠状態へ移行時のそれぞれの状態を区別できればよい。
例えば、それぞれの状態で発音回数を変更するのではく、異なる音を発してもよい。また、それぞれの状態で、発音回数と発する音のいずれもが異なるようにしてもよい。また、それぞれの状態のいずれか一方のみで報知動作を実施してもよい。
【００８９】
上記した実施形態では、電気錠１が、受信装置、制御装置、カードリーダ、発光手段や発音手段（施解錠報知手段）等の電子機器を有する構造について説明した。
ここで、これらの電気錠１が機能するための電子機器は、本体部２５，６０が備えていても（本体部２５，６０に内蔵されても）よく、化粧板部材２６，６１の本体板部４７，６５が備えていても（本体板部４７，６５に内蔵されても）よい。また、これらのそれぞれに分けて配されていてもよい。
そして、化粧板部材２６，６１の本体板部４７，６５が、電子機器を形成する基板等の一部又は全部を備えた構造とする場合、脱落防止部材５０の内部に配線部材を設けてもよい。具体的には、電子機器に電力を供給するための給電線や、本体板部４７，６５側の電子機器と本体部２５，６０側の機器とが信号を送受信するための信号線が、脱落防止部材５０の内部に配されてもよい。
つまり、脱落防止部材５０が、化粧板部材２６，６１の脱落を防止するための部材と、電気機器を動作させるための配線部材を兼ねる構造であってもよい。
【００９０】
上記した実施形態のドア構造２は、室内に配置する操作盤を別途設け、操作盤を操作することで、第一錠ユニット１０、第二錠ユニット１１の施解錠操作を可能なものとしてもよい。また、操作盤には、それぞれの錠ユニットが施錠状態と解錠状態のいずれであるのかを報知する報知手段を設けてもよい。例えば、錠ユニットを解錠状態に移行させる解錠ボタンと、施錠状態に移行させる施錠ボタンを設け、解錠状態では解錠ボタンが光り、施錠状態では施錠ボタンが光るものとしてもよい。
【００９１】
また、第一電気錠４、第二電気錠５は、第一錠ユニット１０、第二錠ユニット１１の双方の施解錠操作を同時に実施する連動機能を有するものであってもよい。
例えば、上記した第一操作や第二操作、又は、第一サムターン７をつまんで捻る操作を実施し、第一錠ユニット１０を解錠状態から施錠状態へ移行させたとき、第二錠ユニット１１もまた解錠状態から施錠状態へ移行するように形成してもよい。すなわち、第一電気錠４、又は、第一サムターン７を操作することで、第一錠ユニット１０だけでなく、第二錠ユニット１１の施解錠操作が実行されるものとしてもよい。同様に、第二電気錠５又は第二サムターン８を操作することで、第二錠ユニット１１だけでなく、第一錠ユニット１０の施解錠操作が実行されるものとしてもよい。
【００９２】
また、上記した実施形態のドア構造２は、不正解錠対応機能を有するものであってもよい。
例えば、第一電気錠４、第二電気錠５の一方（第一錠ユニット１０、第二錠ユニット１１の一方）が解錠（不正解錠）され、所定時間内（例えば、２５秒間）の間にもう一方が解錠されない場合、解錠された一方を自動で施錠状態へ移行させるものとしてもよい。
【００９３】
また、上記した実施形態のドア構造２は、誤操作防止機能を有するものであってもよい。
例えば、第一電気錠４、第二電気錠５の一方（第一錠ユニット１０、第二錠ユニット１１の一方）が解錠状態となり、所定時間内にドア本体３が開かれない（ドア本体３が閉状態から開状態に移行しない）場合、自動で双方を施錠状態へ移行してもよい。
また、リモコンキー１２は、内部に揺れや振動を検知するセンサを設け、所定時間に亘って静止状態（センサが揺れや振動を検知しない状態）が継続されたことを条件として、全ての信号（電波）の発信を停止する構造としてもよい。このような構成とすると、玄関等、ドア本体３の近くにリモコンキー１２を置き忘れても、外部の部外者が不正解錠できず、好ましい。
【符号の説明】
【００９４】
１  電気錠
１０  第一錠ユニット（錠機構）
１１  第二錠ユニット（錠機構）
２５，６０  本体部
２６，６１  化粧板部材
３０  外筒部材（外筒部）
３１  内側部材（内側部）
３２  鍵部材
３８  操作ボタン部（操作ボタン）
４３  鍵穴
【図１】
2020056200.tif 000003
【図２】
2020056200.tif 000004
【図３】
2020056200.tif 000005
【図４】
2020056200.tif 000006
【図５】
2020056200.tif 000007
【図６】
2020056200.tif 000008
【図７】
2020056200.tif 000009
【図８】
2020056200.tif 000010
【図９】
2020056200.tif 000011
【図１０】
2020056200.tif 000012
【図１１】
2020056200.tif 000013